(57)【要約】      （修正有）【課題】安全に使用でき、使用後の注射器の再使用を不能にし、且つ廃棄処分の安全性を確実にした安全な注射器を提供する。【解決手段】シリンダー２０を有し、そのシリンダー２０の先端部にはプランジャーが嵌合され、且つシリンダー２０の周縁部に穿孔が形成され、前記の穿孔に対応する位置に穿孔の径とほぼ同じ仕様に形成される位置決め孔部が形成され、且つそのシリンダー２０の穿孔の外側に位置決め部材１０が配設され、プランジャーを確実にシリンダー内に位置決めさせるようにした。【選択図】図１
0003106753.tif 000002
【実用新案登録請求の範囲】
【請求項１】
先端部にプランジャーが嵌合されるシリンダーを有し、前記シリンダーの内部に嵌合された前記プランジャーの一端部には係止柱が突出形成され、前記プランジャーの他端部には注射針が取り付けられ、前記シリンダーの他端部にはプッシュ・ロッドが嵌め込まれ、前記プッシュ・ロッドの前記シリンダー内に嵌め込まれた端部には閉塞部材が配設され、該閉塞部材の中央部には前記プランジャーの係止柱と嵌合する係止部を有し、且つ前記閉塞部材の外周縁部の中央部に穿孔を有する栓体が配設された構成となる安全な注射器であって、
前記シリンダーにおける前記プランジャーの周縁部に位置する部位には穿孔が形成され、且つそのシリンダーの内部に嵌め込まれるプランジャーにおける前記穿孔に対応する位置に前記穿孔の径よりやや小さい径が形成される位置決め孔が形成され、且つ前記シリンダーの穿孔の外側には位置決め部材が配設され、その位置決め部材を前記シリンダーの穿孔と前記のプランジャーの位置決め孔部に嵌め込むことによって前記プランジャーを確実に前記シリンダー内に位置決めさせるようにしたことを特徴とする安全な注射器。
【請求項２】
前記位置決め部材として端部がプランジャーの位置決め孔部の内径よりやや大きく形成されるタッピン・ネジを使用することを特徴とする請求項１に記載の安全な注射器。
【請求項３】
前記シリンダーにおけるプランジャーを嵌合する端部の外周縁部には雄ネジが形成されるとともに、その雄ネジと螺合可能な帽子ナットが配設され、且つその帽子ナットのある端部が封止端部に形成されるとともに、その他端部が開口ネジ穴を形成することを特徴とする請求項１に記載の安全な注射器。
【請求項４】
前記位置決め部材として支点を有するフォーク状のピン・タイプ位置決め部材を使用することを特徴とする請求項１に記載の安全な注射器。
【請求項５】
前記位置決め部材の対応する挿入孔部が長円形孔部に形成されることを特徴とする請求項４に記載の安全な注射器。
【考案の詳細な説明】
【技術分野】
【０００１】
本考案は、安全な注射器に関するものである。
【背景技術】
【０００２】
さて、現在使用されている注射器にあっては、注射器のブランジャーとシリンダーとの間には、単に一つだけの漏れ防止リングが配設されているに過ぎず、この漏れ防止リングの機能性によって液体の封止性を持たせた密嵌合作用を達成させるようにしたものである。しかしながら、プランジャーの他端に配置された注射針が、通常よりも硬めの状態の皮膚や血管に差し込まれた場合には、皮膚や血管内に入りきらずに、注射針とプランジャーとが一緒に後退してシリンダー内に入り込み、薬液の漏れを発生させることがある。
【０００３】
また、薬液を注射する前に、医務職員が注射器から薬液を押し出してテストする時などに、その押圧力がが大き過ぎたり、その速度が速すぎたりした場合に、プランジャーが液圧の押圧作用を受けて注射針を連動して前方へ飛び出させて、シリンダーと分離する場合が生じ、注射器使用時に大きな危険性をもたらし、改善される必要がある。
【考案の開示】
【考案が解決しようとする課題】
【０００４】
そのため、本考案は、注射針が注射時にシリンダー内に押し込まれたり、注射用シリンダー外へ滑り出したりすることを防止し、危険な状態が発生することのないように危険防止を可能とした安全な注射器を提供することを第一の課題とする。
【０００５】
また、本考案は、注射終了後に注射針を容易に曲げて破壊することができ、且つシリンダー内に押し込こんで安全性を図ることができるようにした安全な注射器を提供することをその第二の課題とする。
【課題を解決するための手段】
【０００６】
前記のそれぞれの課題を解消するために、本考案にかかる安全な注射器は、先端部にプランジャーが嵌合されるシリンダーを有し、前記シリンダーの内部に嵌合された前記プランジャーの一端部には係止柱が突出形成され、前記プランジャーの他端部には注射針が取り付けられ、前記シリンダーの他端部にはプッシュ・ロッドが嵌め込まれ、前記プッシュ・ロッドの前記シリンダー内に嵌め込まれた端部には閉塞部材が配設され、該閉塞部材の中央部には前記プランジャーの係止柱と嵌合する係止部を有し、且つ前記閉塞部材の外周縁部の中央部に穿孔を有する栓体が配設された構成となる安全な注射器であって、前記シリンダーにおける前記プランジャーの周縁部に位置する部位には穿孔が形成され、且つそのシリンダーの内部に嵌め込まれるプランジャーにおける前記穿孔に対応する位置に前記穿孔の径よりやや小さい径が形成される位置決め孔が形成され、且つ前記シリンダーの穿孔の外側には位置決め部材が配設され、その位置決め部材を前記シリンダーの穿孔と前記のプランジャーの位置決め孔部に嵌め込むことによって前記プランジャーを確実に前記シリンダー内に位置決めさせるようにしたことを特徴とする。
【考案を実施するための最良の形態】
【０００７】
以下、本考案の実施形態を示す実施例について図を参照して説明する。
【実施例１】
【０００８】
図１〜図３は本考案の安全な注射器の第１実施例を示すもので、図１は全体斜視図、図２は一部を切欠いて示す分解斜視図、図３は縦断面図である。
【０００９】
本考案においては、シリンダー２０を有し、シリンダー２０の縮径された先端部にはプランジャー３０（図２参照）が嵌合されている。そして、前記シリンダー２０の縮径された先端部には周縁部に穿孔２１（図２参照）が形成されている。前記シリンダー２０内に嵌合されたプランジャー３０の外周縁部には、前記穿孔２１に対応する位置に前記穿孔２１の径とほぼ同じ仕様に形成された位置決め孔３１が形成されており、前記シリンダー２０の穿孔２１の外側よりネジ部材からなる位置決め部材１０が差し込まれるようになっている。なお、３２は環状のシールリングで、前記プランジャー３０の外周に取り付けられ、前記シリンダー２０の縮径部内面に形成した凹部に嵌合して、プランジャー３０とシリンダー２０内壁面との隙間をシールする。
【００１０】
前記位置決め部材１０は端部（頭部）が前記の位置決め孔３１より大きく形成される位置決めピンや、前記位置決め孔３１の内径より大きく形成されるタッピングネジなどを好適に使用でき、前記プランジャー３０を前記シリンダー２０の前端部に嵌合する場合に、流体を封止する性質の密嵌合作用を提供する。
【００１１】
また、前記プランジャー３０には、前記シリンダー２０の通路を塞ぐ閉塞部分の一端部にシリンダー２０の内部へ突出する拡径状の係止柱３３が形成されており、他端部には注射針３４が取り付けられるようになっている。
【００１２】
前記シリンダー２０の他端部からは、中央部に折り切れ創４１を有するプッシュ・ロッド４０が嵌め込まれ、前記シリンダー２０内に嵌め込まれたプッシュ・ロッド４０先端部には閉塞部材４２が形成されており、閉塞部材４２の中央部には前記プランジャー３０の係止柱３３と嵌合によって係止可能な嵌合部４２０（図４と図５参照）が形成されている。また、そのプッシュ・ロッド４０の閉塞部材４２の表面にはソフトな栓体４４が配設され、該栓体４４には前記係止柱３３の端面部の中央部へ向けて穿孔４４０が形成されている。
【００１３】
本考案の使用時には（図３ないし図５参照）、プランジャー３０をシリンダー２０の先端部に嵌め込み、前記シリンダー２０の穿孔２１を貫通させてプランジャー３０における位置決め孔３１に位置決め部材１０を嵌め込む。この作用によって前記位置決め部材１０を位置決め孔３１に位置決めさせて、プランジャー３０を確実にシリンダー２０に位置決め固定させる（図３参照）。
【００１４】
前記プランジャー３０が前記シリンダー２０内に嵌め込まれると、その一端部に形成された係止柱３３も前記シリンダー２０内に差し込まれるようになる（図３参照）。プランジャー３０の他端部に注射針３４が接続されてから、先端部にソフトな栓体４４の配置されたプッシュ・ロッド４０を前記のシリンダー２０内に嵌め込み、注射用薬液を吸い上げてシリンダー２０内に充填する。
使用者が注射をする場合には、前記プッシュ・ロッド４０を押し込んで、先端部に配設したソフトな栓体４４によって薬液を押圧して注射針３４の先端より抽出させる。
【００１５】
また、本考案は位置決め部材１０によってプランジャー３０を確実に位置決めできるので、使用時にその注射針３４が普通よりも硬い状態の皮膚や血管などに差し込まれる場合であっても、注射針３４とプランジャー３０とが後退してシリンダー２０内に入り込んだりする移動を防止できる。
【００１６】
また、薬液の注射前に、看護婦等の医務員が注射器から薬液を押し出してテストする場合、プッシュ・ロッド４０の終端部を押し付ける力が大き過ぎたり、押し付けるスピードが速すぎることによって起こり得るような、プランジャー３０がシリンダー２０の先端前方に移動してしまうことを防止できるので、注射針３４の脱落または滑走移動を生じさせないまま、注射を終了させることができ（図４参照）、注射を受ける患者の安全性を確保できる。
【００１７】
また、図４と図５に示すように、プッシュ・ロッド４０によってシリンダー２０内の薬液を全部シリンダー２０外へ排出して注射が終了して、プッシュ・ロッド４０の先端部のソフトな栓体４４における穿孔４４０がプランジャー３０の係止柱３３に押し付けられるようになると、プランジャー３０の係止柱３３が前記ソフトな栓体４４の穿孔４４０を通ってプッシュ・ロッド４０の閉塞部材４２の係止嵌合部４２０内に嵌め込まれるようになり、こうして、係止嵌合部４２０とプランジャー３０の係止柱３３との相互嵌合により係止作用が生成されるようになる。
【００１８】
注射終了後は、使用者は先に、シリンダー２０における位置決め部材１０を、プランジャー３０の位置決め孔３１とシリンダー２０の穿孔２１より引き出して取り外し（図５参照）、プッシュ・ロッド４０を後退方向に引っ張ることで、プランジャー３０を使用後の注射針３４と一緒にシリンダー２０内へ引き戻して、注射針をシリンダー２０内に収納することができるようになっている。このようにすることで、使用済みの注射針３４が再度使用されるのを防止し、且つ、使用済みの注射器を廃棄した後に、他人を刺して怪我をさせたりすることのないようにできる効果を有する。
【実施例２】
【００１９】
また、図６ないし図１０は本考案の第２実施例を示す外見斜視図と操作説明図であり、そのものの大部分の構成は前記の第１実施例と同じに構成されているが、特にこの第２実施例においては、前記の位置決め部材１０によってプランジャー３０を確実に位置決めるようにするほか、さらにシリンダー２０に嵌合するプランジャー３０の一端部の外周縁部に雄ネジ２００（図６参照）を形成し、他に、その雄ネジ２００と螺合可能な帽子ナット５０が配設使用され、その帽子ナット５０の一端が封止端に形成され、その他端部には開口ネジ穴５１が形成されている（図６と図９参照）。
【００２０】
使用者は、プランジャー３０と使用後の注射針３４を一緒にシリンダー２０の内部に引き込んだ後に（図７と図８参照）、前記の帽子ナット５０をその雌ネジ５１を介して前記のシリンダー２０の雄ネジ２００に螺合結合して、帽子ナット５０によってシリンダー２０をカバーする（図９参照）。その後、使用者は、シリンダー２０内に収容された使用済みの注射針３４を、プッシュ・ロッド４０を介して前方へ推し進めて、前記の帽子ナット５０の封止端に衝突させて湾曲変形させてから、更に、この湾曲して破壊された注射針３４をつけたままプッシュ・ロッド４０をその折り切れ創４１の部位が外に出るまで引っ張り戻し（図１０参照）、最後にプッシュ・ロッド４０をこの折り切れ創４１から折って切り離す。このようにすることで、使用済み注射器の再使用は更に完全に不可能となり、また、本考案の注射器が廃棄処分された後に、他人に刺さったりするような事故が決して起こらず、多くの効果を有するものである。
【実施例３】
【００２１】
また、図１１と図１１Ａに示すものは、本考案の第３実施例を示す分解斜視図と断面図であり、その大体の構成は前記の第１実施例の形態とほぼ同じであるが、特に、本実施例においては、その相違点は、前記位置決め部材１０として位置決め部材１０Ａに取り替えることである。
図面に示すように、本実施例の位置決め部材１０Ａには、位置決めロッド本体１２とその位置決めロッド本体１２の先端部に形成されるフォーク状のピン部材１１，１１とその位置決めロッド本体１２の中間部に配設される突出する支点１３とを有しており、且つ前記シリンダー２０の穿孔を長円形孔部２１Ａに形成させ、且つそのプランジャー３０の位置決め孔部も長円形孔部３１Ａに変更されているが、他の部分は前記第一の実施例と同じであるので、関連する説明をここでは省略する。
【産業上の利用可能性】
【００２２】
本考案による場合、好適な便利性と利用性を有する安全な注射器を提供できる。
【図面の簡単な説明】
【００２３】
【図１】本考案に係る安全な注射器の第１実施例を示す全体斜視図である。
【図２】本考案に係る安全な注射器の第１実施例を示す分解斜視図である。
【図３】本考案に係る安全な注射器の第１実施例の使用状態を示す断面図である。
【図４】本考案に係る安全な注射器の第１実施例の操作状態を示す断面図である。
【図５】本考案に係る安全な注射器の第１実施例の操作状態を示す断面図である。
【図６】本考案に係る安全な注射器の第２実施例を示す全体斜視図である。
【図７】本考案に係る安全な注射器の第２実施例の使用状態を示す断面図である。
【図８】本考案に係る安全な注射器の第１実施例の操作状態を示す断面図である。
【図９】本考案に係る安全な注射器の第２実施例の使用状態を示し、注射針を破壊する場合の様子を示す断面図である。
【図１０】本考案に係る安全な注射器の第２実施例の使用状態を示し、プッシュ・ロッドを破壊する場合の様子を示す断面図である。
【図１１】本考案に係る安全な注射器の第３実施例の分解斜視図である。
【図１１Ａ】図１１の組立後の要部断面図である。
【符号の説明】
【００２４】
【００２５】
１０    位置決め部材
２０    シリンダー
２１    穿孔
３０    プランジャー
３１    位置決め孔
３２    シールリング
３３    係止柱
３４    注射針
４０    プッシュ・ロッド
４１    折り切れ創
４２    閉塞部材
４２０  嵌合部
４４    栓体
４４０  穿孔
【図１】
0003106753.tif 000003
【図２】
0003106753.tif 000004
【図３】
0003106753.tif 000005
【図４】
0003106753.tif 000006
【図５】
0003106753.tif 000007
【図６】
0003106753.tif 000008
【図７】
0003106753.tif 000009
【図８】
0003106753.tif 000010
【図９】
0003106753.tif 000011
【図１０】
0003106753.tif 000012
【図１１】
0003106753.tif 000013
【図１１Ａ】
0003106753.tif 000014